(57)【要約】【課題】確実かつ容易にレンズクリーナの使用履歴を管理し得る履歴管理プログラムを提供する。【解決手段】光ディスクに対するディスクアクセスが可能なドライブ装置を備えた電子機器におけるドライブ装置のピックアップレンズをクリーニングするクリーニング処理（クリーニング動作：ステップ４５）が電子機器によって実行されたときに、クリーニング処理時に使用されたレンズクリーナの使用履歴の情報（管理データ）を所定の情報記憶部に記憶させる履歴情報記憶処理（ステップ４８）を電子機器に実行させる。【選択図】図５
2008287774.tif 000002
【特許請求の範囲】
【請求項１】
光ディスクに対するディスクアクセスが可能なドライブ装置を備えた電子機器における当該ドライブ装置のピックアップレンズをクリーニングするクリーニング処理が当該電子機器によって実行されたときに、当該クリーニング処理時に使用されたレンズクリーナの使用履歴の情報を所定の情報記憶部に記憶させる履歴情報記憶処理を当該電子機器に実行させる履歴管理プログラム。
【請求項２】
前記電子機器の情報記憶装置を前記所定の情報記憶部として前記履歴情報記憶処理を当該電子機器に実行させる請求項１記載の履歴管理プログラム。
【請求項３】
前記レンズクリーナにおける所定の情報記憶領域を前記所定の情報記憶部として前記履歴情報記憶処理を前記電子機器に実行させる請求項１記載の履歴管理プログラム。
【請求項４】
ネットワークを介して前記電子機器によって接続される所定のサーバを前記所定の情報記憶部として前記履歴情報記憶処理を当該電子機器に実行させる請求項１記載の履歴管理プログラム。
【請求項５】
１つの前記レンズクリーナを使用した前記クリーニング処理の実行回数を当該１つのレンズクリーナの前記使用履歴として前記履歴情報記憶処理を前記電子機器に実行させる請求項１から４のいずれかに記載の履歴管理プログラム。
【請求項６】
前記実行回数が規定回数に達したときに、予め規定された報知処理を前記電子機器に実行させる請求項５記載の履歴管理プログラム。
【請求項７】
前記クリーニング処理の実行日時を前記使用履歴として前記履歴情報記憶処理を前記電子機器に実行させる請求項１から６のいずれかに記載の履歴管理プログラム。
【請求項８】
直前の前記クリーニング処理の実行日時から所定時間が経過したときに、予め規定された報知処理を前記電子機器に実行させる請求項７記載の履歴管理プログラム。
【請求項９】
請求項１から８のいずれかに記載の履歴管理プログラムと、当該履歴管理プログラムを前記電子機器にインストールするインストールプログラムとがディスク本体に記録されると共に、当該ディスク本体に配設された払拭体を有するクリーニング部を備えているレンズクリーナ。
【請求項１０】
請求項１から８のいずれかに記載の履歴管理プログラムが前記電子機器によって実行可能にディスク本体に記録されると共に、当該ディスク本体に配設された払拭体を有するクリーニング部を備えているレンズクリーナ。
【発明の詳細な説明】
【技術分野】
【０００１】
本発明は、レンズクリーナの使用履歴を管理する履歴管理プログラム、および電子機器に搭載されたドライブ装置のピックアップレンズをクリーニング可能に構成されたレンズクリーナに関するものである。
【背景技術】
【０００２】
光ディスクに記録されている記録データの再生時や光ディスクに対する記録データの記録時において、ディスクドライブにおけるピックアップのレンズに汚れが生じた状態（レンズの表面に塵埃や油脂等が付着した状態）においては、光ディスクに対するレーザービームの照射や、光ディスクによって反射されたレーザービームの受光が妨げられる。したがって、このような状態のときには、記録エラーや再生エラー（記録データの書き込みエラー、記録データの読み取りエラーおよびトラッキングエラー等）が発生するおそれがある。このため、ディスクドライブにおけるピックアップのレンズをクリーニング可能に構成された各種のレンズクリーナが提案されている。
【０００３】
例えば、特開平２−２３２８７８号公報には、ＣＤ（コンパクトディスク）と実質的に同一形状のレンズクリーナが開示されている。このレンズクリーナは、円板状のディスクと、ディスクにおける読み取り面（記録データが記録されている面：信号記録面）に設けられたクリーニング部材とを備えて構成されている。この場合、このレンズクリーナでは、ディスクに形成した装着孔に、１０本程度の極細ブラシ毛を挿通させ、ディスクのラベル面側において各極細ブラシ毛を粘着テープによってディスクに固定することでクリーニング部材が構成されている。
【０００４】
このレンズクリーナによってレンズをクリーニングする際には、再生装置にレンズクリーナをセットして再生処理を実行させる。この際には、まず、ピックアップがレンズクリーナのリードインエリアに移動すると共に、ディスクが回転させられる。次いで、レンズクリーナにおける信号記録領域に記録されている記録データ（この例では、音声データ）の再生が開始され、ピックアップが信号記録領域における内周側から外周側に向かって移動させられる。この際に、上記のクリーニング部材が配設された領域にピックアップが移動させられることにより、クリーニング部材の各極細ブラシ毛がレンズの表面に順次接触する。これにより、レンズの表面に付着している塵埃や油脂等が各極細ブラシ毛によって払拭されてレンズがクリーニングされる。
【特許文献１】特開平２−２３２８７８号公報（第３−４頁、第１−７図）
【発明の開示】
【発明が解決しようとする課題】
【０００５】
ところが、従来のレンズクリーナには、以下の問題点がある。すなわち、従来のレンズクリーナでは、クリーニング部材の各極細ブラシ毛をレンズの表面に順次接触させることで、レンズに付着している塵埃や油脂等を各極細ブラシ毛によって払拭してクリーニングする構成が採用されている。この場合、この種のレンズクリーナでは、クリーニング処理を実行する都度、レンズ表面に付着していた塵埃や油脂等の一部が払拭体（上記の例における各極細ブラシ毛）に付着する。このため、払拭体に付着した塵埃等の量が多い状態では、クリーニング処理時において、払拭体に付着している塵埃等がレンズに再付着するおそれがある。また、複数回に亘ってクリーニング処理を実行することで、払拭体にへたり（減耗や弾性力の低下等）が生じて、レンズの表面を好適にクリーニングするのが困難な状態となる。
【０００６】
したがって、この種のレンズクリーナでは、例えば製造メーカによって使用可能回数（塵埃等の再付着や、払拭体のへたりを生じさせることなくクリーニング処理を実行可能な回数）が規定されており、この使用可能回数の範囲内でレンズクリーナを使用することで、レンズを好適にクリーニングすることが可能となっている。具体的には、この種のレンズクリーナでは、例えばディスク本体のレーベル面や、レンズクリーナを収容する収容ケースのインデックスシートに、レンズクリーナの使用回数を管理するための管理表が印刷されている。したがって、レンズクリーナを使用する都度（クリーニング処理を実行する都度）、この管理表に例えばクリーニング処理の実行日を記入してレンズクリーナの使用回数等を管理することにより、製造メーカによって規定された使用可能回数を超えてレンズクリーナを使用する事態を回避することが可能となっている。
【０００７】
しかしながら、従来のレンズクリーナにおける使用回数の管理方法では、利用者がクリーニング処理の都度、実行日等を管理表に記入する必要がある。したがって、従来のレンズクリーナにおける使用回数の管理方法には、実行日等を管理表に記入する作業が煩雑であるという問題点がある。また、実行日等の記入作業が煩雑なことに起因して、利用者によっては、実行日等を記入することなく、レンズクリーナを繰り返して使用することがある。このため、従来のレンズクリーナについての使用回数の管理方法には、レンズクリーナの使用回数の特定が困難となる結果、製造メーカによって規定された使用可能回数を超えてレンズクリーナが使用されて、好適なクリーニング処理が困難となるおそれがあるという問題点も存在する。
【０００８】
本発明は、かかる問題点に鑑みてなされたものであり、確実かつ容易にレンズクリーナの使用履歴を管理し得る履歴管理プログラムおよびレンズクリーナを提供することを主目的とする。
【課題を解決するための手段】
【０００９】
上記目的を達成すべく本発明に係る履歴管理プログラムは、光ディスクに対するディスクアクセスが可能なドライブ装置を備えた電子機器における当該ドライブ装置のピックアップレンズをクリーニングするクリーニング処理が当該電子機器によって実行されたときに、当該クリーニング処理時に使用されたレンズクリーナの使用履歴の情報を所定の情報記憶部に記憶させる履歴情報記憶処理を当該電子機器に実行させる。なお、本発明における「光ディスク」には、「光ディスク」および「光磁気ディスク」の双方が含まれる。また、本発明における「光ディスクに対するディスクアクセス」とは、「光ディスクに記録されている記録データの再生」および「光ディスクに対する記録データの記録」の少なくとも一方が含まれる。したがって、本発明における「電子機器」には、記録データの再生処理のみを実行可能に構成された再生装置、記録データの記録処理のみを実行可能に構成された記録装置、および再生処理と記録処理とを実行可能に構成された記録再生装置がこれに含まれる。
【００１０】
また、本発明に係る履歴管理プログラムは、前記電子機器の情報記憶装置を前記所定の情報記憶部として前記履歴情報記憶処理を当該電子機器に実行させる。
【００１１】
また、本発明に係る履歴管理プログラムは、前記レンズクリーナにおける所定の情報記憶領域を前記所定の情報記憶部として前記履歴情報記憶処理を前記電子機器に実行させる。
【００１２】
また、本発明に係る履歴管理プログラムは、ネットワークを介して前記電子機器によって接続される所定のサーバを前記所定の情報記憶部として前記履歴情報記憶処理を当該電子機器に実行させる。なお、本発明におけるネットワークとは、ローカルエリアネットワークおよびワイドエリアネットワーク（インターネット等）の双方を含む広義のネットワークを意味する。また、「所定のサーバを本発明における所定の情報記憶部として履歴情報記憶処理を実行させる」との処理、すなわち、「所定のサーバに使用履歴の情報を記憶させる」との処理は、所定のサーバを構成している処理装置の情報記憶装置に使用履歴の情報を記憶させる処理を意味する。
【００１３】
また、本発明に係る履歴管理プログラムは、１つの前記レンズクリーナを使用した前記クリーニング処理の実行回数を当該１つのレンズクリーナの前記使用履歴として前記履歴情報記憶処理を前記電子機器に実行させる。
【００１４】
さらに、本発明に係る履歴管理プログラムは、前記実行回数が規定回数に達したときに、予め規定された報知処理を前記電子機器に実行させる。
【００１５】
また、本発明に係る履歴管理プログラムは、前記クリーニング処理の実行日時を前記使用履歴として前記履歴情報記憶処理を前記電子機器に実行させる。
【００１６】
さらに、本発明に係る履歴管理プログラムは、直前の前記クリーニング処理の実行日時から所定時間が経過したときに、予め規定された報知処理を前記電子機器に実行させる。
【００１７】
また、本発明に係るレンズクリーナは、上記のいずれかの履歴管理プログラムと、当該履歴管理プログラムを前記電子機器にインストールするインストールプログラムとがディスク本体に記録されると共に、当該ディスク本体に配設された払拭体を有するクリーニング部を備えている。
【００１８】
また、本発明に係るレンズクリーナは、上記のいずれかの履歴管理プログラムが前記電子機器によって実行可能にディスク本体に記録されると共に、当該ディスク本体に配設された払拭体を有するクリーニング部を備えている。なお、上記の本発明に係る両レンズクリーナにおけるクリーニング部の構成には、乾式のクリーニング部および湿式のクリーニング部の双方が含まれる。
【発明の効果】
【００１９】
本発明に係る履歴管理プログラムでは、電子機器によってクリーニング処理が実行されたときに、使用されたレンズクリーナの使用履歴の情報を所定の情報記憶部に記憶させる履歴情報記憶処理を電子機器に実行させる。つまり、この履歴管理プログラムでは、クリーニング処理を実行する都度、利用者がディスク本体のレーベル面や、収容ケースのインデックスシートに印刷された管理表に実行日時等を記入してレンズクリーナの使用回数等を管理する管理方法とは異なり、クリーニング処理を実行する都度、電子機器の制御部が履歴管理プログラムの記述に従って所定の情報記憶部に使用履歴の情報を自動的に記憶させる。したがって、この履歴管理プログラムによれば、煩雑な実行日時の記入作業を不要として、レンズクリーナの使用履歴を確実かつ容易に管理することができる。
【００２０】
また、本発明に係る履歴管理プログラムでは、電子機器の情報記憶装置を所定の情報記憶部として履歴情報記憶処理を電子機器に実行させる。したがって、この履歴管理プログラムによれば、クリーニング対象のピックアップレンズを有するドライブ装置が搭載されている電子機器自体に使用履歴の情報を記憶させておくことができるため、使用履歴の情報を記憶するための特殊な情報記憶部を用意することなく、使用履歴の情報を記憶させてレンズクリーナの使用履歴を管理することができる。
【００２１】
また、本発明に係る履歴管理プログラムでは、レンズクリーナにおける所定の情報記憶領域を所定の情報記憶部として履歴情報記憶処理を電子機器に実行させる。したがって、この履歴管理プログラムによれば、使用履歴の情報を記憶する構成（ハードディスクドライブや不揮発性のメモリ等）が電子機器に配設されていなくても、レンズクリーナに使用履歴の情報を記憶させて管理することができる。これにより、このレンズクリーナによれば、各種の電子機器においてレンズクリーナの使用履歴を管理することができる。また、このレンズクリーナによれば、電子機器の情報記憶部に使用履歴の情報を記憶させる構成とは異なり、１枚のレンズクリーナを複数の電子機器において共用するときであっても、そのレンズクリーナの使用回数等を正確かつ容易に管理することができる。
【００２２】
また、本発明に係る履歴管理プログラムでは、ネットワークを介して電子機器によって接続される所定のサーバを所定の情報記憶部として履歴情報記憶処理を電子機器に実行させる。したがって、この履歴管理プログラムによれば、使用履歴の情報を記憶させる構成（ハードディスクドライブや不揮発性のメモリ等）が電子機器に配設されていなくても、所定のサーバに使用履歴の情報を記憶させて管理することができる。これにより、このレンズクリーナによれば、各種の電子機器においてレンズクリーナの使用履歴を管理することができる。また、このレンズクリーナによれば、電子機器の情報記憶部に使用履歴の情報を記憶させる構成とは異なり、１枚のレンズクリーナを複数の電子機器において共用するときであっても、そのレンズクリーナの使用回数等を正確かつ容易に管理することができる。
【００２３】
また、本発明に係る履歴管理プログラムでは、１つのレンズクリーナを使用したクリーニング処理の実行回数をその１つのレンズクリーナの使用履歴として履歴情報記憶処理を電子機器に実行させる。したがって、この履歴管理プログラムによれば、使用しようとしている１つのレンズクリーナが、好適なクリーニング処理を実行し得る範囲内の使用回数であるか否かを確実かつ容易に特定することができる。
【００２４】
さらに、本発明に係る履歴管理プログラムでは、クリーニング処理の実行回数が規定回数に達したときに、予め規定された報知処理を電子機器に実行させる。したがって、この履歴管理プログラムによれば、例えば管理表に記入した実行日時等を参照してレンズクリーナの残りの使用可能回数や、使用可能な状態であるか否か（使用可能回数を超えているか否か）などを判断する管理方法と比較して、残りの使用可能回数や、使用可能回数を超えているか否かを確実かつ容易に認識させることができる。
【００２５】
また、本発明に係る履歴管理プログラムでは、クリーニング処理の実行日時を使用履歴として履歴情報記憶処理を電子機器に実行させる。したがって、この履歴管理プログラムによれば、前回のクリーニング処理の実行日時からの経過時間を確実かつ容易に特定することができる。
【００２６】
さらに、本発明に係る履歴管理プログラムでは、直前のクリーニング処理の実行日時から所定時間が経過したときに、予め規定された報知処理を電子機器に実行させる。したがって、この履歴管理プログラムによれば、例えば管理表に記入した実行日時等を参照してクリーニング処理を実行する時期が到来したか否かを判断する方法と比較して、クリーニング処理を実行する時期が到来したことを確実かつ容易に認識させることができる。
【００２７】
また、本発明に係るレンズクリーナでは、上記のいずれかの履歴管理プログラムと、履歴管理プログラムを電子機器にインストールするインストールプログラムとがディスク本体に記録されると共に、ディスク本体に配設された払拭体を有するクリーニング部を備えている。したがって、このレンズクリーナによれば、このレンズクリーナを入手するだけで、そのレンズクリーナの使用履歴を管理し得る履歴管理プログラムを電子機器にインストールしてその使用履歴を管理することができる。この結果、このレンズクリーナによれば、例えば、履歴管理プログラムをインストールするための光ディスク（インストールディスク）をレンズクリーナとは別個に製造して販売するのと比較して、レンズのクリーニングおよびレンズクリーナの使用履歴の管理を行い得る環境を安価に構築させることができる。
【００２８】
また、本発明に係るレンズクリーナでは、上記のいずれかの履歴管理プログラムが電子機器によって実行可能にディスク本体に記録されると共に、ディスク本体に配設された払拭体を有するクリーニング部を備えている。したがって、このレンズクリーナによれば、履歴管理プログラムをインストール可能な構成（ハードディスクドライブや不揮発性のメモリ等）が電子機器に配設されていなくても、レンズクリーナから履歴管理プログラムを読み出して実行することができる。これにより、このレンズクリーナによれば、履歴管理プログラム等のインストールが困難な電子機器を含む各種の電子機器においてレンズクリーナの使用履歴を管理することができる。
【発明を実施するための最良の形態】
【００２９】
以下、本発明に係る履歴管理プログラムおよびレンズクリーナの最良の形態について、添付図面を参照して説明する。
【００３０】
最初に、レンズクリーナ１と、レンズクリーナ１の使用履歴を管理するための管理プログラムＤ３および監視プログラムＤ４とについて、図面を参照して説明する。
【００３１】
図１に示すレンズクリーナ１は、本発明に係るレンズクリーナの一例であって、ディスク本体２と、ディスク本体２に配設されたクリーニング部４とを備えている。この場合、ディスク本体２は、一例として、片面１層の再生専用のＢＤ（Blu-ray Disc（登録商標）：本発明における光ディスクの一例）と実質的に同一形状に形成されている。具体的には、ディスク本体２は、その直径が一例として、１２０ｍｍ程度で、その厚みが一例として、１．２ｍｍ程度の円板状に形成されている。また、ディスク本体２の中心部には、レンズクリーナ１をディスク装置にクランピングさせるための直径１５ｍｍ程度の中心孔２ｃが形成されている。さらに、ディスク本体２は、その厚み方向における中央部に記録層３が形成されて、記録層３におけるデータ記録領域には、後述するように、チェックプログラムＤ０、インストール用パッケージデータＤ１、ディスク識別データＤ２および映像データ（動画データ：クリーニング動作中に表示させる映像のデータ）などの記録データが記録されている。なお、上記の「映像データ」としては、「音声情報を含む動画データ」および「音声情報を含まない動画データ」のいずれかを記憶させておくことができる。また、「映像データ」に代えて「音声データ（クリーニング動作中に出力する音声のデータ）」や「画像データ（静止画データ：クリーニング動作中に表示させる画像のデータ）」などを記憶させておくこともできる。
【００３２】
この場合、ディスク本体２における記録面２ａ（ディスク本体２に対して記録再生用のレーザービームが照射される面）には、レンズクリーナ１を電子機器のディスク装置にクランピングさせるための環状のクランピング領域を含む内周領域が規定されると共に、内周領域の外側にインフォメーションエリアが規定されている。また、インフォメーションエリア内には、リードインエリア、データ記録領域およびリードアウトエリアがその内周側から外周側に向かってこの順で規定されている。さらに、このレンズクリーナ１では、リードインエリア内のＴＯＣを記録する領域の上方に本発明における払拭体の先端部が位置するようにクリーニング部４が構成されている。なお、このＴＯＣが記録される領域は、上記の例のようなリードインエリア内に限定されず、光ディスクの規格によっては、リードインエリアよりも内周側の所定領域、または、リードインエリアよりも外周側の所定領域（データ記録領域内）に規定される場合もある。さらに、ディスク本体２のレーベル面２ｂには、例えばレンズクリーナ１の使用方法等が印刷されている。
【００３３】
クリーニング部４は、一例として、乾式のクリーニング部（クリーニング液等を使用しないタイプのクリーニング部）であって、上記のクランピング領域の外周側に形成された挿入用孔５に例えば合成樹脂製の繊維を束ねたブラシ６（本発明における払拭体の一例）が植設されて構成されている。この場合、上記の繊維の束ね方（ブラシ６の断面形状）は、特に限定されるものではないが、一例として、断面円形状（丸筆状）、または断面長方形状（平筆状）に束ねてブラシ６を構成することができる。
【００３４】
また、ディスク本体２における上記のデータ記録領域には、本発明に係る履歴管理プログラム（一例として、後述する管理プログラムＤ３および監視プログラムＤ４の２つのプログラム）が電子機器（一例として、図２に示すパーソナルコンピュータ１０）にインストールされているか否かをチェックするためのチェックプログラムＤ０と、上記の管理プログラムＤ３および監視プログラムＤ４を電子機器にインストールするためのインストール用パッケージデータＤ１と、電子機器に対してレンズクリーナ１を個別的に識別させるためのディスク識別データＤ２とが記録されている。この場合、このレンズクリーナ１では、本発明における履歴管理プログラム（この例では、管理プログラムＤ３および監視プログラムＤ４）と、本発明におけるインストールプログラムとが自己解凍形式で圧縮パッケージングされて上記のインストール用パッケージデータＤ１が構成されている。また、このレンズクリーナ１には、電子機器のドライブ装置にセットした際に、上記のチェックプログラムＤ０を電子機器に自動的に実行させるためのプログラム実行情報が記録されている。
【００３５】
一方、図２に示すように、パーソナルコンピュータ１０は、光ディスクドライブ１１、ハードディスクドライブ１２、操作部１３、表示部１４、通信部１５、制御部１６および記憶部１７を備えて構成されている。光ディスクドライブ１１は、ＢＤや上記のレンズクリーナ１から各種の記録データを読み取り可能に構成されている。なお、後述するように、この光ディスクドライブ１１におけるピックアップのレンズがレンズクリーナ１によるクリーニング処理の対象となる。ハードディスクドライブ１２は、本発明における「電子機器の情報記憶装置」の一例であって、オペレーションシステムや各種のアプリケーションプログラムなどが記憶されている。また、ハードディスクドライブ１２は、後述するように、制御部１６によってインストール用パッケージデータＤ１内のインストールプログラムが実行されることで、管理プログラムＤ３、監視プログラムＤ４および管理データＤ５などが記憶される。操作部１３は、一例として、キーボード、マウスおよびリモートコントローラで構成されて、これらの操作に応じた操作信号を制御部１６に出力する。表示部１４は、制御部１６の制御に従って各種の表示画面を表示する。
【００３６】
通信部１５は、一例として、ターミナルアダプタで構成されて、図示しないブロードバンドルータ等を介してインターネット上の各種ｗｅｂサーバ（例えば、ｗｅｂサーバ１００等）に接続可能に構成されている。制御部１６は、パーソナルコンピュータ１０を総括的に制御する。具体的には、制御部１６は、光ディスクドライブ１１にＢＤ（光ディスク）がセットされた際に、ＢＤに記録されているプログラム実行情報に従ってＢＤ内の各種のプログラムを実行する。この場合、後述するように、光ディスクドライブ１１にレンズクリーナ１がセットされたときには、制御部１６は、レンズクリーナ１に記録されているプログラム実行情報に従い、光ディスクドライブ１１を介してレンズクリーナ１からチェックプログラムＤ０を読み出して記憶部１７に展開して実行する。記憶部１７は、制御部１６の演算結果や、光ディスクドライブ１１にセットされたレンズクリーナ１およびＢＤなどに記憶されている各種プログラムなどを一時的に記憶する。
【００３７】
次に、レンズクリーナ１を用いたレンズのクリーニング方法、およびレンズクリーナ１の使用履歴に関する履歴管理方法の一例について、図面を参照して説明する。
【００３８】
上記のレンズクリーナ１をパーソナルコンピュータ１０の光ディスクドライブ１１にセットした際には、制御部１６が、光ディスクドライブ１１を介して上記のプログラム実行情報をレンズクリーナ１から読み出す。この際に、制御部１６は、読み出したプログラム実行情報に従い、光ディスクドライブ１１を介してレンズクリーナ１からチェックプログラムＤ０を読み出して記憶部１７に展開して、図３に示すインストールチェック処理２０を開始する。このインストールチェック処理２０では、制御部１６は、まず、パーソナルコンピュータ１０に管理プログラムＤ３および監視プログラムＤ４がインストールされているか否か（ハードディスクドライブ１２に両プログラムＤ３，Ｄ４が記憶されているか否か）をチェックする（ステップ２１）。この際に、後述する管理データＤ５がハードディスクドライブ１２に記憶されているか否かに基づいて、パーソナルコンピュータ１０に両プログラムＤ３，Ｄ４がインストールされているか否かを判別する方法を採用することもできる。
【００３９】
一方、管理プログラムＤ３および監視プログラムＤ４がインストールされていると判別したときには、制御部１６は、このインストールチェック処理２０を終了して、後述するクリーニング処理４０（図５参照）を開始する。また、パーソナルコンピュータ１０に管理プログラムＤ３および監視プログラムＤ４がインストールされていないと判別したときには、図４に示すインストール処理３０を開始する。このインストール処理３０では、制御部１６は、まず、光ディスクドライブ１１を介してレンズクリーナ１からインストール用パッケージデータＤ１を読み出して記憶部１７に展開する（ステップ３１）。この際には、管理プログラムＤ３や監視プログラムＤ４を構成する各種のプログラムデータと、管理プログラムＤ３および監視プログラムＤ４を電子機器（この例では、パーソナルコンピュータ１０）にインストールするインストールプログラムのプログラムデータとが記憶部１７に展開される。
【００４０】
次いで、制御部１６は、インストールプログラムを起動して（ステップ３２）、記憶部に展開した各プログラムデータ（管理プログラムＤ３および監視プログラムＤ４を構成する各種の実行ファイルや設定値データ）をハードディスクドライブ１２に記憶させる。これにより、管理プログラムＤ３および監視プログラムＤ４がパーソナルコンピュータ１０にインストールされる（ステップ３３）。次いで、制御部１６は、両プログラムＤ３，Ｄ４によってレンズクリーナ１の使用履歴を管理するための管理データＤ５を生成してハードディスクドライブ１２に記憶させる（ステップ３４）。
【００４１】
この場合、管理データＤ５は、本発明における「使用履歴の情報」の一例であって、このインストール処理３０の実行時においては、一例として、レンズクリーナ１の製造メーカが規定した使用履歴に関する初期値を含んで管理データＤ５が生成される。具体的には、管理データＤ５は、インストール処理３０を開始した時点の日時情報（すなわち、パーソナルコンピュータ１０においてレンズクリーナ１を初めて使用した日時を特定可能な情報）と、レンズクリーナ１を使用したクリーニング処理の回数が０回であるとの情報（クリーニング処理を１回も実行していないとの情報）と、レンズクリーナ１の使用可能回数が５０回であるとの情報（一例として、レンズクリーナ１の製造メーカが規定した使用可能回数）と、レンズクリーナ１の使用回数が「４０回、４５回、４９回」のときに使用可能回数が残り僅かであることを報知する内容の情報と、前回のクリーニング処理日から２週間が経過した時点においてクリーニング処理の実行を促すメッセージを表示させる内容の情報とを上記の初期値として含んだ形式で生成される。これにより、インストール処理３０が完了する。
【００４２】
次いで、図３に示すように、制御部１６は、パーソナルコンピュータ１０にインストールされた管理プログラムＤ３に従い、図５に示すクリーニング処理４０を開始する。このクリーニング処理４０では、制御部１６は、まず、ハードディスクドライブ１２に記憶されている管理プログラムＤ３を記憶部１７に展開して起動する（ステップ４１）。次いで、制御部１６は、管理プログラムＤ３の記述に従い、実行する処理を利用者に選択させる（ステップ４２）。具体的には、制御部１６は、図示しない処理選択画面を表示部１４に表示させて、管理プログラムＤ３によるレンズクリーナ１の使用履歴の管理に関する設定を変更する「設定変更処理」と、レンズクリーナ１によってレンズをクリーニングする「クリーニング動作」と、クリーニング処理４０の「終了」とのいずれかを利用者に選択させる。この際に、操作部１３の操作によって設定変更処理が選択されたときには、制御部１６は、ハードディスクドライブ１２から管理データＤ５を読み出すと共に、図示しない設定変更画面を表示部１４に表示させる（ステップ４３）。
【００４３】
この場合、このパーソナルコンピュータ１０のハードディスクドライブ１２には、前述したように、レンズクリーナ１の使用可能回数が５０回であるとの情報と、レンズクリーナ１の使用回数が「４０回、４５回、４９回」のときに使用可能回数が残り僅かであることを報知する内容の情報と、前回のクリーニング処理日から２週間を経過した時点においてクリーニング処理の実行を促すメッセージを表示させる内容の情報とを含んで生成された管理データＤ５が記憶されている。したがって、このような条件以外の条件でレンズクリーナ１の使用履歴を管理するのを所望するときには、例えば、レンズクリーナ１の使用回数が「４０回、４８回、４９回」のときに使用可能回数が残り僅かであることを報知する内容に変更したり、前回のクリーニング処理日から１ヶ月が経過した時点においてクリーニング処理の実行を促すメッセージを表示させたりする内容に変更する。これに応じて、制御部１６は、新たに変更（設定）された情報（条件）を含ませて管理データＤ５を生成し、生成した管理データＤ５をハードディスクドライブ１２に記憶させて（ステップ４４）、処理選択画面を表示部１４に表示させる（ステップ４２）。
【００４４】
一方、処理選択画面を表示させた状態において「クリーニング動作」が選択されたときには、制御部１６は、光ディスクドライブ１１を制御してレンズクリーナ１のデータ記録領域から映像データを読み出させ、読み出された映像データに基づく映像を表示部１４に表示させる（映像データの再生）。この際に、このレンズクリーナ１では、映像データ等の記録アドレスを特定するためのＴＯＣの記録領域（この例では、リードイン領域内）の上方にブラシ６の先端部が位置するようにクリーニング部４が配設されている。したがって、レンズクリーナ１が回転している状態においてピックアップがＴＯＣの記録領域に移動させられることで、レンズの角部にブラシ６の先端部側が当接して、その状態においてレンズクリーナ１がさらに回転させられることにより、ブラシ６がレンズクリーナ１の回転方向における下流側に向かって撓まされるようにしてレンズの表面に押し付けられる。これにより、レンズの表面に付着している塵埃が払拭されてクリーニングされる（ステップ４５）。
【００４５】
また、レンズクリーナ１から読み出した映像データに基づく映像の表示と並行して、制御部１６は、レンズクリーナ１からディスク識別データＤ２を読み出して（ステップ４６）、読み出したディスク識別データＤ２に基づいて特定される所定の１つのレンズクリーナ１についての管理データＤ５がハードディスクドライブ１２に記憶されているか否かをチェックする（ステップ４６）。この際に、上記のインストール処理３０の処理時や、設定変更処理時にハードディスクドライブ１２にセットされていたレンズクリーナ１とは相違するレンズクリーナ１（ハードディスクドライブ１２に管理データＤ５が記録されているレンズクリーナ１とはディスク識別データＤ２のデータ内容が相違するレンズクリーナ１）がハードディスクドライブ１２にセットされている場合には、制御部１６は、そのレンズクリーナ１についての管理データＤ５がハードディスクドライブ１２に記憶されていないと判別して（ステップ４７）、上記の設定変更処理を開始して、設定変更画面を表示部１４に表示させる（ステップ４３）。
【００４６】
一方、読み出したディスク識別データＤ２に対応する管理データＤ５がハードディスクドライブ１２に記憶されていると判別したときには（ステップ４７）、制御部１６は、そのレンズクリーナ１についての使用回数を１回分だけカウントアップする（この例では、使用回数を「０回」から「１回」に変更する）と共に、レンズクリーナ１を使用したクリーニング処理の実行日時をパーソナルコンピュータ１０の内部時計に基づいて特定した現在日時に変更して、カウントアップ後の使用回数および変更後の実行日時で管理データＤ５を更新する（使用回数およびクリーニング処理の実行日時を更新した管理データＤ５をハードディスクドライブ１２に記憶させる：ステップ４８）。
【００４７】
次いで、制御部１６は、パーソナルコンピュータ１０がインターネットに接続可能な状態であるか否かを判別する（ステップ４９）。この際に、接続可能と判別したときには、制御部１６は、通信部１５を介してインターネット上のｗｅｂサーバ１００に接続し、ｗｅｂサーバ１００から広告データＤ６をダウンロードして再生する。これにより、例えば、レンズクリーナ１の製造メーカが製作した広告映像や、レンズクリーナ１とは無関係な各種の広告（一例として、新作映画情報や、ＯＡ機器の新製品情報など）の広告コンテンツが表示部１４に表示される（ステップ５０）。なお、広告データＤ６に基づく広告コンテンツの表示に代えて、レンズクリーナ１の使用者に対する各種のお知らせ（一例として、記録再生装置のファームウェアのアップデートに関するお知らせや、管理プログラムＤ３および監視プログラムＤ４のアップデートのお知らせなど）を表示させることもできる。この場合、表示する「お知らせ」の内容は、レンズクリーナや記録再生装置等に関係するお知らせに限定されず、これらとは無関係な各種のお知らせを表示させることができる。また、ダウンロードしたデータに基づく表示（ダウンロードしたデータを記録再生装置において再生する方法）に変えて、広告やお知らせが表記された所定のｗｅｂサイトを表示させることもでききる。一方、上記のステップ４９において、パーソナルコンピュータ１０がインターネットに接続可能な状態ではないと判別したときには、制御部１６は、レンズクリーナ１から読み出した映像データの再生を所定時間に亘って継続する。
【００４８】
次いで、制御部１６は、上記の広告コンテンツの表示（ステップ５０）、または、レンズクリーナ１に記憶されている映像データの再生（ステップ４５）を完了したときに、ハードディスクドライブ１２に記憶されている管理データＤ５に基づき、レンズクリーナ１の使用回数をチェックする（ステップ５１）。この際に、レンズクリーナ１の使用可能回数が「５０回」であるとの情報と、レンズクリーナ１の使用回数が「４０回、４８回、４９回」のときに使用可能回数が残り僅かであることを報知する内容の情報と、レンズクリーナ１の使用回数が「１回」であるとの情報とが管理データＤ５内に記憶されている。したがって、制御部１６は、レンズクリーナ１が使用回数の上限（この例では、５０回）に達しておらず、かつ、使用可能回数が残り僅かであることを報知する使用回数（この例では、「４０回、４８回、４９回」のいずれかの回数）にも達していないと判別して（ステップ５２）、前述した処理選択画面を表示部１４に表示させる（ステップ４２）。また、利用者によってクリーニング処理４０の「終了」が選択されたときに、制御部１６は、一例として「ドライブ装置からレンズクリーナを取り出して下さい」とのメッセージを表示部１４に表示させて、このクリーニング処理４０を終了する。
【００４９】
一方、管理プログラムＤ３および監視プログラムＤ４をインストールしたパーソナルコンピュータ１０が再起動されたとき（例えば、上記のクリーニング処理４０の終了後にパーソナルコンピュータ１０をシャットダウンし、その後にパーソナルコンピュータ１０をブートしたとき）には、制御部１６が、監視プログラムＤ４の記述に従い、図６に示すクリーニングチェック処理６０を開始する。このクリーニングチェック処理６０では、制御部１６は、まず、ハードディスクドライブ１２から読み出した監視プログラムＤ４を記憶部１７に展開して起動する（ステップ６１）。次いで、制御部１６は、ハードディスクドライブ１２から管理データＤ５を読み出して、前回のクリーニング処理を実行した日時を特定する（ステップ６２）。続いて、制御部１６は、パーソナルコンピュータ１０の内部時計から取得した時刻情報に基づいて現在日時を特定する（ステップ６３）。
【００５０】
次いで、制御部１６は、管理データＤ５に基づいて特定した前回のクリーニング処理の実行日時と現在日時とに基づき、前回のクリーニング処理の実行日時からの経過時間を演算する（ステップ６４）。続いて、制御部１６は、特定した経過時間が管理データＤ５に記憶されている規定時間（この例では、１ヶ月）に達しているか否かを判別する（ステップ６５）。この際に、演算された経過時間が管理データＤ５内の規定日時（この例では、１ヶ月）以内のときには、制御部１６は、このクリーニングチェック処理６０を直ちに終了する。また、演算された経過時間が規定日時以上のときには、制御部１６は、例えば「クリーニング処理を実行してから○○日が経過しています。レンズクリーナをセットしてクリーニング処理を実行して下さい」とのメッセージ（「○○日」の部位には、経過時間が表示される）を表示部１４に表示させることでクリーニング処理の実行を促して（警告処理：本発明における報知処置の一例：ステップ６６）、このクリーニングチェック処理６０を終了する。
【００５１】
これに応じて、利用者が光ディスクドライブ１１にレンズクリーナ１をセットした際には、制御部１６によって前述したインストールチェック処理２０が自動的に実行される。この際に、制御部１６は、パーソナルコンピュータ１０に管理プログラムＤ３および監視プログラムＤ４がインストールされていると判別して（ステップ２１）、クリーニング処理４０を開始する。また、処理選択画面を表示部１４に表示させた状態において（ステップ４２）、クリーニング動作が選択されたときに、制御部１６は、前述したように、レンズクリーナ１に記憶されている映像データを再生することで、クリーニング部４のブラシ６によってレンズの表面に付着している塵埃を払拭させてレンズをクリーニングする（ステップ４５）。
【００５２】
また、制御部１６は、ディスク識別データＤ２を読み出し（ステップ４６）、使用中のレンズクリーナ１についての管理データＤ５がハードディスクドライブ１２に記憶されていると判別して（ステップ４７）、そのレンズクリーナ１についての使用回数を１回分だけカウントアップすると共に（この例では、使用回数を「１回」から「２回」に変更）、レンズクリーナ１を使用したクリーニング処理の実行日時をパーソナルコンピュータ１０の内部時計に基づいて特定した現在日時に更新する（ステップ４８）。また、制御部１６は、上記したように、ハードディスクドライブ１２に記憶されている管理データＤ５に基づいてレンズクリーナ１の使用回数をチェックし（ステップ５１）、この際には、使用回数が規定回数に達していないと判別して（ステップ５２）、処理選択画面を表示部１４に表示させる（ステップ４２）。
【００５３】
このように、監視プログラムＤ４がインストールされている電子機器（この例では、パーソナルコンピュータ１０）では、電子機器が起動する都度、前回のクリーニング処理の実行日時からの経過時間が電子機器によってチェックされて、予め規定した処理時間（この例では、１ヶ月）が経過しているときに、クリーニング処理の実行を促すメッセージが表示部１４に表示される。また、管理プログラムＤ３がインストールされている電子機器（この例では、パーソナルコンピュータ１０）では、光ディスクドライブ１１にレンズクリーナ１がセットされる都度、インストールチェック処理２０およびクリーニング処理４０がこの順で実行されて、クリーニング処理４０におけるステップ５１において、レンズクリーナ１の使用回数がチェックされる。
【００５４】
具体的には、管理データＤ５に基づいて特定したレンズクリーナ１の使用回数が、予め規定された使用回数（この例では、「４０回、４８回、４９回、５０回以上」のいずれか）のときには、制御部１６は、所定の警告メッセージを表示させる。例えば、レンズクリーナ１の使用回数が「４０回、４８回、４９回」のいずれかと判別したとき（例えば、４０回と判別したとき）には、制御部１６は、一例として「レンズクリーナの残り使用回数があと１０回になりました。新しいレンズクリーナをお買い求め下さい。」とのメッセージを表示部１４に表示させる（本発明における報知処置の他の一例：ステップ５３）。また、制御部１６は、通信部１５を介してｗｅｂサーバ１００に接続し、レンズクリーナの新製品情報に関する広告データＤ６をダウンロードして広告コンテンツを表示部１４に表示させる。次いで、制御部１６は、所定時間に亘って広告コンテンツを表示させた後に、処理選択画面を表示部１４に表示させる（ステップ４２）。
【００５５】
また、レンズクリーナ１の使用回数が「５０回以上」と判別したとき（例えば、５０回と判別したとき）には、制御部１６は、一例として「レンズクリーナが正常なクリーニングを行うことができない状態となりました。このレンズクリーナを継続して使用されますと、レンズを十分にクリーニングすることができず、最悪の場合には、汚れが悪化したり、読み取り装置の故障を招くおそれがあります。新しいレンズクリーナを使用して下さい」とのメッセージを表示部１４に表示させる（本発明における報知処置のさらに他の一例：ステップ５３）。また、制御部１６は、通信部１５を介してｗｅｂサーバ１００に接続し、レンズクリーナの新製品情報に関する広告データＤ６をダウンロードして広告コンテンツを表示部１４に表示させる。次いで、制御部１６は、所定時間に亘って広告コンテンツを表示させた後に、処理選択画面を表示部１４に表示させる（ステップ４２）。
【００５６】
このように、上記の管理プログラムＤ３では、パーソナルコンピュータ１０によってクリーニング処理が実行されたとき（この例では、クリーニング処理４０のステップ４５）に、使用したレンズクリーナ１の使用履歴の情報（この例では、管理データＤ５）を所定の情報記憶部（この例では、パーソナルコンピュータ１０のハードディスクドライブ１２）に記憶させる履歴情報記憶処理（この例では、クリーニング処理４０のステップ４８）をパーソナルコンピュータ１０（電子機器）に実行させる。つまり、この管理プログラムＤ３では、クリーニング処理を実行する都度、利用者がディスク本体のレーベル面や、収容ケースのインデックスシートに印刷された管理表に実行日時等を記入してレンズクリーナの使用回数等を管理する管理方法とは異なり、クリーニング処理を実行する都度、制御部１６が管理プログラムＤ３の記述に従ってパーソナルコンピュータ１０のハードディスクドライブ１２に管理データＤ５を自動的に記憶させる。したがって、この管理プログラムＤ３によれば、煩雑な実行日時の記入作業を不要として、レンズクリーナ１の使用履歴を確実かつ容易に管理することができる。
【００５７】
また、上記の管理プログラムＤ３では、パーソナルコンピュータ１０のハードディスクドライブ１２（電子機器の情報記憶装置）を本発明における所定の情報記憶部として本発明における履歴情報記憶処理をパーソナルコンピュータ１０に実行させる。したがって、この管理プログラムＤ３によれば、クリーニング対象のレンズを有する光ディスクドライブ１１が搭載されているパーソナルコンピュータ１０自体に管理データＤ５を記憶させておくことができるため、管理データＤ５を記憶するための特殊な情報記憶部を用意することなく、管理データＤ５を記憶させてレンズクリーナ１の使用履歴を管理することができる。
【００５８】
さらに、上記の管理プログラムＤ３では、１つのレンズクリーナ１を使用したクリーニング処理の実行回数をその１つのレンズクリーナ１の使用履歴として履歴情報記憶処理をパーソナルコンピュータ１０に実行させる。したがって、この管理プログラムＤ３によれば、使用しようとしている１つのレンズクリーナ１が、好適なクリーニング処理を実行し得る範囲内の使用回数であるか否かを確実かつ容易に特定することができる。
【００５９】
また、上記の管理プログラムＤ３では、本発明におけるクリーニング処理の実行回数が規定回数に達したときに、予め規定された報知処理をパーソナルコンピュータ１０に実行させる。したがって、この管理プログラムＤ３によれば、例えば管理表に記入した実行日時等を参照してレンズクリーナ１の残りの使用可能回数や、使用可能な状態であるか否か（使用可能回数を超えているか否か）などを判断する管理方法と比較して、残りの使用可能回数や、使用可能回数を超えているか否かを確実かつ容易に認識させることができる。
【００６０】
さらに、上記の管理プログラムＤ３では、クリーニング処理の実行日時を本発明における使用履歴として本発明における履歴情報記憶処理をパーソナルコンピュータ１０に実行させる。したがって、この管理プログラムＤ３によれば、前回のクリーニング処理の実行日時からの経過時間を確実かつ容易に特定することができる。
【００６１】
また、上記の監視プログラムＤ４では、直前のクリーニング処理の実行日時から所定時間（上記の例では、１ヶ月）が経過したときに、予め規定された報知処理（この例では、警告メッセージの表示）をパーソナルコンピュータ１０に実行させる。したがって、この監視プログラムＤ４によれば、例えば管理表に記入した実行日時等を参照してクリーニング処理を実行する時期が到来したか否かを判断する方法と比較して、クリーニング処理を実行する時期が到来したことを確実かつ容易に認識させることができる。
【００６２】
また、上記のレンズクリーナ１では、本発明における履歴管理プログラム（この例では、管理プログラムＤ３および監視プログラムＤ４の２つのプログラム）のプログラムデータと、この履歴管理プログラムを電子機器（この例では、パーソナルコンピュータ１０）にインストールするインストールプログラムのプログラムデータとを含むインストール用パッケージデータＤ１がディスク本体２に記録されると共に、ディスク本体２（この例では、記録面２ａ）に配設されたブラシ６（払拭体）を有するクリーニング部４を備えている。したがって、このレンズクリーナ１によれば、このレンズクリーナ１を入手する（例えば購入する）だけで、そのレンズクリーナ１の使用履歴を管理し得る管理プログラムＤ３および監視プログラムＤ４をパーソナルコンピュータ１０にインストールしてその使用履歴を管理することができる。この結果、このレンズクリーナ１によれば、例えば、管理プログラムＤ３や監視プログラムＤ４をインストールするための光ディスク（インストールディスク）をレンズクリーナ１とは別個に製造して販売するのと比較して、レンズのクリーニングおよびレンズクリーナ１の使用履歴の管理を行い得る環境を安価に構築させることができる。
【００６３】
なお、本発明は上記の構成に限定されない。例えば、ＢＤと実質的に同一形状のディスク本体２を有するレンズクリーナ１の使用履歴を管理する例について説明したが、使用履歴を管理する対象はこれに限定されず、例えば、ＣＤやＤＶＤ等の各種情報媒体と実質的に同一形状のディスク本体を有するレンズクリーナの使用履歴を管理可能に履歴管理プログラムを構成することができる。また、本発明における「使用履歴の情報」としての管理データＤ５をパーソナルコンピュータ１０のハードディスクドライブ１２（電子機器の情報記憶装置）に記憶させる管理プログラムＤ３を例に挙げて説明したが、本発明はこれに限定されない。例えば、上記のレンズクリーナ１におけるディスク本体２に代えて、記録データの書き換えが可能な記録層を有するディスク本体２を用いてレンズクリーナを構成し、電子機器の制御部（例えば、パーソナルコンピュータ１０の制御部１６）が光ディスクドライブを介してレンズクリーナの記録層に上記の管理データＤ５を記憶させるように管理プログラムを記述することができる。
【００６４】
この管理プログラムでは、レンズクリーナにおける所定の情報記憶領域を本発明における所定の情報記憶部として本発明における履歴情報記憶処理を電子機器（パーソナルコンピュータ１０）に実行させる。したがって、この管理プログラムによれば、管理データＤ５を記憶する構成（ハードディスクドライブや不揮発性のメモリ等）が電子機器に配設されていなくても、レンズクリーナに管理データＤ５を記憶させて管理することができる。これにより、このレンズクリーナによれば、各種の電子機器においてレンズクリーナの使用履歴を管理することができる。また、この管理プログラムによれば、電子機器の情報記憶部に管理データＤ５を記憶させる構成とは異なり、１枚のレンズクリーナを複数の電子機器において共用するときであっても、そのレンズクリーナの使用回数等を正確かつ容易に管理することができる。
【００６５】
また、電子機器によって接続される（接続が可能な）ｗｅｂサーバ（例えば、上記のｗｅｂサーバ１００）の情報記憶装置（例えば、ハードディスクドライブ）内に管理データＤ５を記憶させる領域を設け、電子機器の制御部（例えば、パーソナルコンピュータ１０の制御部１６）に対して、インターネット（本発明におけるネットワークの一例）を介してｗｅｂサーバに上記の管理データＤ５を記憶させるように管理プログラムを記述することができる。この管理プログラムでは、ネットワーク（一例として、インターネット）を介して電子機器（例えばパーソナルコンピュータ１０）によって接続される所定のサーバ（一例として、ｗｅｂサーバ１００）を本発明における所定の情報記憶部として本発明における履歴情報記憶処理を電子機器に実行させる。したがって、この管理プログラムによれば、管理データＤ５を記憶させる構成（ハードディスクドライブや不揮発性のメモリ等）が電子機器に配設されていなくても、ｗｅｂサーバに管理データＤ５を記憶させて管理することができる。これにより、このレンズクリーナによれば、各種の電子機器においてレンズクリーナの使用履歴を管理することができる。また、このレンズクリーナによれば、電子機器の情報記憶部に管理データＤ５を記憶させる構成とは異なり、１枚のレンズクリーナを複数の電子機器において共用するときであっても、そのレンズクリーナの使用回数等を正確かつ容易に管理することができる。
【００６６】
また、レンズクリーナ１にインストール用パッケージデータＤ１を記憶（記録）させ、このインストール用パッケージデータＤ１をレンズクリーナ１から読み出して管理プログラムＤ３および監視プログラムＤ４をパーソナルコンピュータ１０（電子機器）にインストールして使用する形態について説明したが、本発明はこれに限定されない。例えば、本発明における履歴管理プログラム（例えば、上記の管理プログラムＤ３）をレンズクリーナのディスク本体に記憶させておき、上記のクリーニング処理４０に相当する処理を実行する際には、レンズクリーナから履歴管理プログラムを読み出して、記憶部１７に展開して実行させるように構成することができる。このレンズクリーナでは、本発明における履歴管理プログラムが電子機器（例えばパーソナルコンピュータ１０）によって実行可能にディスク本体に記録されると共に、ディスク本体に配設された払拭体を有するクリーニング部（この例では、上記のレンズクリーナ１と同様に構成されたクリーニング部４）を備えている。したがって、このレンズクリーナによれば、履歴管理プログラムをインストール可能な構成（ハードディスクドライブや不揮発性のメモリ等）が電子機器に配設されていなくても、レンズクリーナから履歴管理プログラムを読み出して実行することができる。これにより、このレンズクリーナによれば、履歴管理プログラム等のインストールが困難な電子機器を含む各種の電子機器においてレンズクリーナの使用履歴を管理することができる。
【００６７】
さらに、本発明に係る履歴管理プログラムは、レンズクリーナに記憶させた状態で配布する方法に限定されず、例えば、上記のｗｅｂサーバ１００に管理プログラムＤ３および監視プログラムＤ４をインストールするためのディスク識別データＤ２を記憶させておき、利用者がｗｅｂサーバ１００からダウンロードしてパーソナルコンピュータ１０（電子機器）にインストールして使用するように構成することもできる。また、電子機器にインストールすることなく、ｗｅｂサーバ１００にアクセスした状態でｗｅｂサーバ１００に登録されている管理プログラムＤ３や監視プログラムＤ４をオンラインで実行する構成を採用することもできる。このような構成を採用することにより、履歴管理プログラムをインストール可能な構成（ハードディスクドライブや不揮発性のメモリ等）が電子機器に配設されていなくても、履歴管理プログラムをオンラインで実行することができる。これにより、各種の電子機器においてレンズクリーナの使用履歴を管理することができる。
【００６８】
また、合成樹脂製の繊維を束ねたブラシ６を本発明における払拭体として備えたレンズクリーナ１について説明したが、本発明における払拭体の構成はこれに限定されない。例えば、一枚の厚い織布（布帛の一例）で形成したブラシ、一枚の厚い不織布（布帛の他の一例）で形成したブラシ、および複数枚の薄い織布（布帛のさらに他の一例）を重ね合わせて形成したブラシ（または、１枚の薄い織布を折り重ねて形成したブラシ）のいずれかで本発明における払拭体を形成してクリーニング部を構成することもできる。また、織布に代えて不織布で形成したブラシで本発明における払拭体を形成してクリーニング部を構成することもできる。布帛で構成した払拭体を採用してクリーニング部を構成する場合、一例として、所定形状に裁断した布帛を接着剤によってディスク本体２の所定部位に接着して固定する構成を採用することができる。また、乾式のクリーニング部４を備えたレンズクリーナ１について説明したが、本発明におけるレンズクリーナの構成はこれに限定されず、湿式のクリーニング部（クリーニング液を使用するタイプのクリーニング部）を配設した構成を適用することができる。
【００６９】
さらに、１枚のレンズクリーナに配設するクリーニング部の数は、上記のレンズクリーナ１のような１つに限定されず、１枚のレンズクリーナにつき２つ以上の任意の数のクリーニング部を配設することもできる。この場合、両面記録型のレンズクリーナにおいては、一方の面につき１つ以上の任意の数のクリーニング部を配設することができる。加えて、ブラシ６の先端部がリードインエリアの上方に位置するように構成したレンズクリーナ１について説明したが、本発明はこれに限定されず、レンズクリーナに対する記録再生時にピックアップが移動し得る任意の位置（すなわち、上記のレンズクリーナ１における記録処理用領域からデータ記録領域までの範囲内）にクリーニング部を配設する構成を採用することができる。
【図面の簡単な説明】
【００７０】
【図１】レンズクリーナ１の構成を示す断面図である。
【図２】パーソナルコンピュータ１０の構成を示すブロック図である。
【図３】インストールチェック処理２０のフローチャートである。
【図４】インストール処理３０のフローチャートである。
【図５】クリーニング処理４０のフローチャートである。
【図６】クリーニングチェック処理６０のフローチャートである。
【符号の説明】
【００７１】
１  レンズクリーナ
２  ディスク本体
２ａ  記録面
２ｂ  レーベル面
２ｃ  中心孔
３  記録層
４  クリーニング部
５  挿入用孔
６  ブラシ
１０  パーソナルコンピュータ
１１  光ディスクドライブ
１２  ハードディスクドライブ
１３  操作部
１４  表示部
１５  通信部
１６  制御部
１７  記憶部
２０  インストールチェック処理
３０  インストール処理
４０  クリーニング処理
６０  クリーニングチェック処理
１００  ｗｅｂサーバ
Ｄ０  チェックプログラム
Ｄ１  インストール用パッケージデータ
Ｄ２  ディスク識別データ
Ｄ３  管理プログラム
Ｄ４  監視プログラム
Ｄ５  管理データ
Ｄ６  広告データ
【図１】
2008287774.tif 000003
【図２】
2008287774.tif 000004
【図３】
2008287774.tif 000005
【図４】
2008287774.tif 000006
【図５】
2008287774.tif 000007
【図６】
2008287774.tif 000008